(57)【要約】      （修正有）【課題】クリーニングしてシーツ主体が縮んでもマットレスに対してフィット性が優れ、さらに業務用アイロンへの挿入が容易で、アイロン掛けの作業性を向上できるマットレス用シーツを提供する。【解決手段】マットレス１０の上面部及び左右両側部を覆う表地部及び周側部１４を有する１枚の織物布地によって形成されたシーツ主体１１と、マットレス１０の長手方向の両端部の上面部、下面部及び左右両側部を覆うように袋状に形成され、該袋状の開口縁部が前記シーツ主体１１の長手方向の両端部と縫着されたニット素材によって形成された両端袋状部１２と、シーツ主体１１の周側部１４及び両端袋状部１２の下面部によって囲まれた矩形状の開口部１８とから平面的なマットレス用シーツを構成し、マットレス１０をシーツ主体１１と両端袋状部１２覆ったとき、両端袋状部１２が持つ伸縮性によってシーツ主体１１にテンションを付与させたことを特徴とする。【選択図】図１
2008183165.tif 000002
【特許請求の範囲】
【請求項１】
長方形状のマットレスの上面部に覆うように装着されるマットレス用シーツにおいて、
前記マットレスの長手方向の両端部を除き、該マットレスの上面部及び左右両側部を覆う表地部及び周側部を有する１枚の織物布地によって形成されたシーツ主体と、
前記マットレスの長手方向の両端部の上面部、下面部及び左右両側部を覆うように袋状に形成され、該袋状の開口縁部が前記シーツ主体の長手方向の両端部と縫着されたニット素材によって形成された両端袋状部と、
前記シーツ主体の周側部及び両端袋状部の下面部によって囲まれた矩形状の開口部とから平面的なマットレス用シーツを構成し、
前記マットレスを前記開口部から潜らせて該マットレスを前記シーツ主体と両端袋状部で覆ったとき、両端袋状部が持つ伸縮性によって前記シーツ主体にテンションを付与させたことを特徴とするマットレス用シーツ。
【請求項２】
前記シーツ主体の周側部及び前記両端袋状部の周側部には、１本の連続した折り目が形成され、業務用アイロンに挿入するときには、前記折り目がシーツ輪郭を形成するように平面的になることを特徴とする請求項１記載のマットレス用シーツ。
【発明の詳細な説明】
【技術分野】
【０００１】
この発明は、例えば、病院用ベッドのマットレスに着脱可能に装着されるマットレス用シーツに関する。
【背景技術】
【０００２】
病院用ベッドのマットレスに敷設されるシーツには、１枚のシート状タイプのものと、袋状でマットレスを包むように覆い被せるタイプのものがある。前者のものは、シーツの前後・左右両側部をマットレスの下側に挿し込んで保持するようになっているが、就寝者の寝返り等によってシーツがずれ易いという問題がある。また、後者のものは、前述のようなシーツのずれ等は防止できるものの、マットレスに対する着脱が面倒である。
【０００３】
そこで、マットレスを包むように覆い被せる袋状のシーツの裏地部に、マットレスを挿通させるために設けられる開口部の開口縁部を筒状に縫合し、この筒部にゴム紐を挿通してゴム紐の弾性によって開口部を広げることができ、しかもゴム紐の弾性によってシーツを緊張できるようにしたものがある。
【０００４】
また、下敷きマットレスと上敷きマットレスに被せるシーツを袋状に形成するとともに、シーツの裏面部にマットレスを挿通させるために設けられた開口部のコーナ部の角度を約８０°にし、皺の発生を防止したマットレス用シーツも知られている（例えば、特許文献１参照。）。
【０００５】
さらに、シーツ布地の少なくとも一端側を裏面側に折り返してシーツ部と折り返し部とを形成し、シーツ部と折り返し部とを剥離自在な係着体によって係着してマットレス挿入部を形成したものも知られている（例えば、特許文献２参照。）。
【特許文献１】特開２００４−３３５５５号公報
【特許文献２】特開２００２−３６０４００号公報
【発明の開示】
【発明が解決しようとする課題】
【０００６】
しかしながら、病院用ベッドのマットレス用シーツは、汚れの有無に拘らず、マットレスから取り外して定期的にクリーニング業者にクリーニングを依頼されるものであり、また病院ではクリーニングされたシーツを看護士あるいは看護助士の手によってベッドメーキングされる。
【０００７】
従って、看護士あるいは看護助士の負担を軽減するためマットレスに対する着脱が容易であることが望ましい。この点、前述したように、シーツの裏地部に設けられた開口縁部にゴム紐を入れたものは、開口部の開口幅が伸縮するため、マットレスに対する着脱が容易であるが、繰り返しクリーニングされると、ゴム紐の伸縮性が損なわれてシーツがマットレスにフィットしなくなる。また、シーツにゴム紐が入っていると、アイロン掛けもし難く作業性が悪いとともに、ゴム紐に無理な張力が加わってゴム紐の伸縮性が早期に損なわれるという問題がある。
【０００８】
また、特許文献１のものは、シーツの裏面部に設けられた開口部のコーナ部の角度を約８０°にして皺の発生を防止するものは、シーツが新しいうちは、その効果が期待できるが、繰り返しクリーニングされると、型崩れしてコーナ部の角度が８０°以上に広がり、シーツがマットレスにフィットしなくなるという問題がある。
【０００９】
さらに、特許文献２のものは、洗濯によってシーツが縮むことを想定し、シーツが縮んでも係着体を外してマットレスの下側に敷き込むようにしたものであり、係着体の着脱が面倒である。
【００１０】
この発明は、前記事情に着目してなされたもので、その目的とするところは、マットレスに対する着脱が容易であるとともに、繰り返しクリーニングしてシーツ主体が縮んでもマットレスに対してフィット性が優れ、さらに平面的で業務用アイロンに挿入することが容易で、アイロン掛けの作業性を向上できるマットレス用シーツを提供することにある。
【課題を解決するための手段】
【００１１】
この発明は、前記目的を達成するために、請求項１は、長方形状のマットレスの上面部に覆うように装着されるマットレス用シーツにおいて、前記マットレスの長手方向の両端部を除き、該マットレスの上面部及び左右両側部を覆う表地部及び周側部を有する１枚の織物布地によって形成されたシーツ主体と、前記マットレスの長手方向の両端部の上面部、下面部及び左右両側部を覆うように袋状に形成され、該袋状の開口縁部が前記シーツ主体の長手方向の両端部と縫着されたニット素材によって形成された両端袋状部と、前記シーツ主体の周側部及び両端袋状部の下面部によって囲まれた矩形状の開口部とから平面的なマットレス用シーツを構成し、前記マットレスを前記開口部から潜らせて該マットレスを前記シーツ主体と両端袋状部で覆ったとき、両端袋状部が持つ伸縮性によって前記シーツ主体にテンションを付与させたことを特徴とする。
【００１２】
請求項２は、請求項１の前記シーツ主体の周側部及び前記両端袋状部の周側部には、１本の連続した折り目が形成され、業務用アイロンに挿入するときには、前記折り目がシーツ輪郭を形成するように平面的になることを特徴とする。
【発明の効果】
【００１３】
この発明によれば、シーツ主体の縮みを両端袋状部の伸縮で吸収することができ、さらにシーツ主体の皺を両端袋状部の弾力性で取り除くことができ、マットレスに対するフィット性が優れているとともに、マットレスに対するシーツの着脱が容易である。さらに、全体が平面的であるため、業務用アイロンに挿入すること及び折り畳みの作業性の向上を図ることができるという効果がある。
【発明を実施するための最良の形態】
【００１４】
以下、この発明の実施の形態を図面に基づいて説明する。
【００１５】
図１〜図３に示すように、例えば、病院用ベッドの長方形状のマットレス１０の上面部に覆うように装着されるマットレス用シーツは、１枚の織物布地によって形成されたシーツ主体１１とニット素材によって形成された両端袋状部１２とから構成されている。シーツ主体１１は、例えば綿、ポリエステル等の混紡で安価であるが、繰り返しクリーニングすると、５〜１０％程度縮む布地である。両端袋状部１２は、ニット（編物）であるため、伸縮性、弾力性、柔軟性に富んだ素材である。
【００１６】
前記シーツ主体１１は、１枚の布地でマットレス１０の長手方向の両端部１０ａ，１０ｂ（頭部側と足部側）を除き、マットレス１０の上面部１０ｃを覆う表地部１３及びマットレス１０の左右両側部１０ｄを覆う周側部１４が形成されている。両端袋状部１２は、マットレス１０の長手方向の両端部１０ａ，１０ｂの上面部１０ｃ、下面部１０ｅ及び左右両側部１０ｄを覆うように上地部１５及び下地部１６によって袋状に形成されている。
【００１７】
そして、両端袋状部１２の開口縁部の上地部１５はシーツ主体１１の表地部１３の両端部に、下地部１６はシーツ主体１１の周側部１４の両端部にそれぞれ縫着（縫着部１７）されている。従って、シーツ主体１１と両端袋状部１２は一体的に連結されている。さらに、シーツ主体１１の周側部１４及び両端袋状部１２の下地部１６によって囲まれた矩形状の開口部１８が形成されている。そして、マットレス１０を開口部１８から潜らせてマットレス１０をシーツ主体１１と両端袋状部１２で覆ったとき、両端袋状部１２が持つ伸縮性によってシーツ主体１１にテンションを付与させることができる。さらに、マットレス１０を開口部１８から潜らせる際に、両端袋状部１２が伸長するため、マットレス１０の対しての着脱が容易であり、同時にシーツ主体１１の縮みを両端袋状部１２の伸縮で吸収することができるとともに、シーツ主体１１の皺を両端袋状部１２の弾力性で取り除くことができる。
【００１８】
また、シーツ主体１１の周側部１４及び両端袋状部１２の周縁部には１本の連続した折り目１９が形成され、この折り目１９がシーツ輪郭を形成しており、シーツ全体が平面的である。従って、シーツを洗濯した後、シーツを業務用アイロン（複数本の熱ロールとプレートとの間）に挿入するが、シート主体１１は、折り目１９が基準となって表地部１３と周側部１４とが扁平状に二つ折りとなり、両端袋状部１２は、折り目１８が基準となって上地部１５と下地部１６とが扁平状に二つ折りとなるため、アイロン掛け・折り畳みの作業性が容易となる。
【００１９】
このように構成されたマットレス用シーツによれば、シーツ主体１１は繰り返しクリーニングすると、５〜１０％程度縮む布地であるが、両端袋状部１２は、ニット（編物）であるため、伸縮性、弾力性、柔軟性に富んだ素材である。従って、両端袋状部１２の伸縮でシーツ主体１１の縮みを吸収することができ、さらにシーツ主体１１の皺を両端袋状部１２の弾力性で取り除くことができる。
【００２０】
また、病院等においては、ベッドのマットレスに対するシーツの交換作業は看護師や看護助手が行っているが、ベッド数の多い病院等においては、シーツの交換作業に多くの時間を費やし、看護師や看護助手の負担になっている。一般的にはマットレスに対するシーツの交換作業に要する時間は、１枚当たり、二人で３分と言われているが、この発明のシーツによれば、マットレス１０を開口部１８から潜らせる際に、両端袋状部１２が伸長するため、マットレス１０の対しての着脱が容易であり、一人でも１分前後で行えるため、看護師や看護助手の労力を大幅に軽減できる。
【００２１】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２２】
【図１】この発明の第１の実施形態に係るマットレス用シーツの裏面側から見た斜視図。
【図２】同実施形態を示し、図１のＡ−Ａ線に沿って断面した拡大図。
【図３】同実施形態を示し、シーツ自体の斜視図。
【符号の説明】
【００２３】
１０…マットレス、１１…シーツ主体、１２…両端袋状部、１３…表地部、１４…周側部、１５…上地部、１６…下地部、１７…縫着部、１８…開口部、１９…折り目
【図１】
2008183165.tif 000003
【図２】
2008183165.tif 000004
【図３】
2008183165.tif 000005